(57)【要約】【課題】ドア開閉時に押しボタンノブを押し続けるなどの煩雑な操作をする必要がなく、簡便なドア開閉を実現しつつ、開放ドアの自閉防止した冷蔵庫を提供する。【解決手段】冷蔵庫本体１２と、前記冷蔵庫本体の前面開口部を閉塞する回転式の冷蔵室右ドア１９と、前記ドアを開閉するハンドル６０と、前記ドアを開閉する際の一方の回転動作を規制する規制モードを有するドア回転動作制御部５６と、前記ドアに設けた操作部６１とを備え、前記ドア回転動作制御部は、ドアの閉方向の回転をドア開放位置で規制し、前記操作部の動作によって前記規制を解除する構成としてある。これにより、ドア開放時に煩雑な操作をしなくても良いとともに開放したドアの自閉もなくなって、容易に食品の出し入れが可能となり、かつ、操作部の操作も一時的で良いから、使い勝手の良い冷蔵庫を提供できる。【選択図】図４
2014142146.tif 000002
【特許請求の範囲】
【請求項１】
冷蔵庫本体と、前記冷蔵庫本体の前面開口部を閉塞する回転式のドアと、前記ドアを開閉するハンドルと、前記ドアを開閉する際の一方の回転動作を規制する規制モードを有するドア回転動作制御部と、前記ドアに設けた操作部とを備え、前記ドア回転動作制御部は、前記操作部の動作に連係して、前記規制モードを解除することを特徴とする冷蔵庫。
【請求項２】
前記操作部と前記ドア回転動作制御部とは機械的手段で連係したことを特徴とする請求項１に記載の冷蔵庫。
【請求項３】
前記操作部と前記ドア回転動作制御部とは電気的手段で連係したことを特徴とする請求項１に記載の冷蔵庫。
【請求項４】
前記操作部は前記ハンドルの近傍に備えたことを特徴とする請求項１から３のいずれか１項に記載の冷蔵庫。
【請求項５】
前記操作部は前記ドアの側面部に備えたことを特徴とする請求項１から３のいずれか１項に記載の冷蔵庫。
【発明の詳細な説明】
【技術分野】
【０００１】
本発明は、ドアを任意位置で固定できる冷蔵庫に関するものである。
【背景技術】
【０００２】
一般に冷蔵庫は冷蔵室のドアが回転自在に軸支してあり、ドアを開けて食品を出し入れする時に開いたドアが、設置条件やドア自体或いはドア内側のポケットに収納した食品の重量によって閉方向に回動することがある。そのため、この冷蔵室内の食品の出し入れは閉まろうとするドアを片手で押さえながら行う必要があり、使い勝手が悪いという課題を有していた。
【０００３】
このような課題を解決するものとして、ドアを開放位置で停止させるようにした冷蔵庫が知られている。（例えば、特許文献１参照）。
【０００４】
図１１は特許文献１に記載された従来の冷蔵庫のドア開状態を示す斜視図、図１２は同従来の冷蔵庫のドア軸支部分を示す部分欠裁斜視図である。
【０００５】
図１１、図１２において、ドア１０１の回転軸１０２にはドラム１０３とこのドラム１０３を制動するブレーキシュー１０４とからなる制動装置１０５が設けれ、この制動装置１０５は押しボタンノブ１０６を介してロッド部材１０７をスライドさせると、前記ブレーキシュー１０４が押し広げられて、ドラム１０３、すなわちドア１０１の回転軸１０２の制動が解除されるようになっている。
【０００６】
よって、この冷蔵庫では押しボタンノブ１０６をスプリング１０８に抗して押しながらドア１０１を開き、ドア１０１が開いたところで押しボタンノブ１０６の押し操作を解除すると、スプリング１０８の附勢力によってロッド部材１０７が元の状態に復動し、ブレーキシュー１０４の押し広げがなくなってブレーキシュー１０４がドラム１０３に圧接し、ドラム１０３、すなわちドア１０１の回転軸１０２の回転を停止させる。これによって、ドア１０１はその位置で停止保持され、食品等の出し入れが容易に行えるようになる、というものである。
【先行技術文献】
【特許文献】
【０００７】
【特許文献１】実開平２−１１４８９３号公報
【発明の概要】
【発明が解決しようとする課題】
【０００８】
しかしながら、前記従来の特許文献１に記載の構成では、ドア１０１を開くときはもちろん、閉じるときにも、ドア１０１を回転させる間中は常に押しボタンノブ１０６を押してドア１０１を動作させる必要があり、ドア１０１の開・閉操作が煩雑で使い勝手が悪いものになってしまう課題があった。
【０００９】
本発明はこのような従来の課題に鑑みてなしたもので、ドア開閉の簡便さを損なうことなく開放したドアを停止可能として、使い勝手の良い冷蔵庫を提供することを目的としたものである。
【課題を解決するための手段】
【００１０】
前記従来の課題を解決するために、本発明の冷蔵庫は、冷蔵庫本体と、前記冷蔵庫本体
の前面開口部を閉塞する回転式のドアと、前記ドアを開閉するハンドルと、前記ドアを開閉する際の一方の回転動作を規制する規制モードを有するドア回転動作制御部と、前記ドアに設けた操作部とを備え、前記ドア回転動作制御部は、前記操作部の動作に連係して、前記規制モードを解除する構成としてある。
【００１１】
これによって、ドア回転動作制御部による回転規制をドア閉方向に設定することで、ドアはこれまで通り特別な操作をすることなく開放することができるとともに、開放した扉が扉自体の自重等によって閉方向に動作しようとしてもそのドアの回転は規制されて開放位置に停止させることができる。しかも上記回転規制は操作部の操作によって解除できるので、ドアの閉方向の回転も軽い力で行うことができるうえに、上記回転規制解除は操作部を一時的に操作するだけでよいので、ドアを回転させる間中操作し続けなければならないというような煩雑さもなく、ドア開・閉を簡便に行うことができる。
【発明の効果】
【００１２】
本発明の冷蔵庫は、ドア開・閉の簡便さを維持しつつ、ドアを開放位置に停止させて、食品収納、取出し時の利便性を向上させ、使い勝手の良い冷蔵庫とすることができる。
【図面の簡単な説明】
【００１３】
【図１】本発明の実施の形態１における冷蔵庫の正面図
【図２】同実施の形態１における冷蔵庫の側面断面図
【図３】同実施の形態１における冷蔵庫のドアを示す分解斜視図
【図４】同実施の形態１における冷蔵庫のドア回転動作制御部を示す分解斜視図
【図５】同実施の形態１における冷蔵庫のドア回転動作制御部のワンウェイクラッチを示す平面図
【図６】同実施の形態１における冷蔵庫のドア回転動作制御部のトルクリミッタを示し、（ａ）は平面図、（ｂ）は側面図
【図７】同実施の形態１におけるドア開閉状態を示す平面図
【図８】同実施の形態１における冷蔵庫のドア回転動作制御部の動作を示し、（ａ）はＡモード時の説明図、（ｂ）はＢモード時の説明図
【図９】同実施の形態１における冷蔵庫の操作部設置位置を示す側面図
【図１０】同実施の形態２における冷蔵庫の操作部設置位置を示す斜視図
【図１１】従来の冷蔵庫のドア開状態を示す斜視図
【図１２】従来の冷蔵庫のドア軸支部分を示す部分欠裁斜視図
【発明を実施するための形態】
【００１４】
第１の発明は、冷蔵庫本体と、前記冷蔵庫本体の前面開口部を閉塞する回転式のドアと、前記ドアを開閉するハンドルと、前記ドアを開閉する際の一方の回転動作を規制する規制モードを有するドア回転動作制御部と、前記ドアに設けた操作部とを備え、前記ドア回転動作制御部は、前記操作部の動作に連係して、前記規制モードを解除する構成としてある。
【００１５】
これにより、ドア回転動作制御部による回転規制をドア閉方向に設定することで、ドアはこれまで通り特別な操作をすることなく開放することができるとともに、開放した扉が扉自体の自重等によって閉方向に動作しようとしてもそのドアの回転は規制されて開放位置に停止させることができる。しかも上記回転規制は操作部の操作によって解除できるので、ドアの閉方向の回転も軽い力で行うことができるうえに、上記回転規制解除は操作部を一時的に操作するだけでよいので、ドアを回転させる間中操作し続けなければならないというような煩雑さもなく、ドア開・閉を簡便に行うことができる。
【００１６】
第２の発明は、第１の発明において、前記操作部と前記ドア回転動作制御部とは機械的
手段で連係したもので、ドア回転動作制御部と操作部は離して設けることができるから、操作部をドアの最も操作しやすい位置に設置することができ、使い勝手を向上させることができる。
【００１７】
第３の発明は、第１の発明において、前記操作部と前記ドア回転動作制御部とは電気的手段で連係したもので、前記第２の発明と同様操作部をドアの最も操作しやすい位置に設置することができ、使い勝手を向上させることができるとともに、電気的手段による連係とすることによって例えば操作部をドア前面に設けたタッチスイッチ等で構成することができ、操作部の操作性も向上させて一段と使い勝手の良いものとすることができる。
【００１８】
第４の発明は、第１から第３のいずれかの発明において、前記操作部は前記ハンドルの近傍に備えたもので、ドア開閉時に手をかけたハンドル部分から大きく手を移動させることなく操作部の操作が可能となるので、操作部の操作性が向上する。
【００１９】
第５の発明は、第１から第３のいずれかの発明において、前記操作部は前記ドアの側面部に備えたもので、ドア側面部は手をかけやすいところであるから、操作部の操作も容易に行えるようになり、その操作性が向上する。
【００２０】
以下、本発明の実施の形態について、図面を参照しながら説明する。尚、この実施の形態によって本発明が限定されるものではない。
【００２１】
（実施の形態１）
図１は、本発明の実施の形態１における冷蔵庫の正面図、図２は同実施の形態１における冷蔵庫の側面断面図、図３は同実施の形態１における冷蔵庫のドアを示す分解斜視図、図４は同実施の形態１における冷蔵庫のドア回転動作制御部を示す分解斜視図、図５は同実施の形態１における冷蔵庫のドア回転動作制御部のワンウェイクラッチを示す平面図、図６は同実施の形態１における冷蔵庫のドア回転動作制御部のトルクリミッタを示し、（ａ）は平面図、（ｂ）は側面図、図７は同実施の形態１におけるドア開閉状態を示す平面図、図８は同実施の形態１における冷蔵庫のドア回転動作制御部の動作を示し、（ａ）はＡモード時の説明図、（ｂ）はＢモード時の説明図、図９は同実施の形態１における冷蔵庫の操作部設置位置を示す側面図である。
【００２２】
図１から図７において、冷蔵庫１１には、冷蔵庫本体１２と、冷蔵温度帯に調整された冷蔵室１３と、冷凍温度帯に調整された製氷室１４と、上段冷凍室１５と、下段冷凍室１６と、冷蔵温度帯に調整された野菜室１７が配置されている。また、各貯蔵室には前面開口部を閉塞するように、冷蔵室左ドア１８と、冷蔵室右ドア１９と、製氷室ドア２０と、上段冷凍室ドア２１と、下段冷凍室ドア２２と、野菜室ドア２３が設けられている。これら複数のドアの内、冷蔵室左ドア１８と冷蔵室右ドア１９は、端部が軸支された回転式ドアであり、他の製氷室ドア２０、上段冷凍室ドア２１、下段冷凍室ドア２２、野菜室ドア２３は手前方向に直線的に開閉できる引出し式ドアである。
【００２３】
冷蔵室１３と製氷室１４の間、また冷蔵室１３と上段冷凍室１５の間は、断熱性を有する第一の仕切壁２４で区切られている。また同様に、下段冷凍室１６と野菜室１７の間も断熱性を有する第二の仕切壁２５で仕切られている。さらに、製氷室１４及び上段冷凍室１５と下段冷凍室１６は、断熱性を有する仕切体２６で区切られている。この仕切体２６は冷凍室の全幅に亘って設けられている。
【００２４】
冷蔵室１３内には食品を載置する複数の冷蔵室棚２７が設けられ、冷蔵室左ドア１８及び冷蔵室右ドア１９には複数のドア棚２８が設けられている。また、製氷室１４内には氷を貯蔵する貯氷ケース２９が設けられ、上段冷凍室１５内には第一の冷凍ケース３０が設
けられている。また、下段冷凍室１６内には第二の冷凍ケース３１と、第三の冷凍ケース３２が設けられており、第三の冷凍ケース３２は第二の冷凍ケース３１の上を前後方向に摺動可能な構造となっている。また、野菜室１７内には第一の野菜ケース３３と第二の野菜ケース３４が設けられており、第二の野菜ケース３４は第一の野菜ケース３３の上を前後方向に摺動可能な構造となっている。
【００２５】
冷蔵庫本体１２の背面上部には圧縮機３５が配置され、同じく冷蔵庫本体１２の背面には制御基板３６が配置されている。また、冷蔵庫本体１２の背面下部には霜取り水を受け蒸発させる蒸発皿３７が配置されている。
【００２６】
冷蔵室１３内の背面には、庫内に冷気を導く冷蔵室ダクト３８が配置されている。また、冷蔵室１３の下部、第一の仕切壁２４の上には給水タンク３９が置かれ、給水ポンプ４０、給水パイプ４１が連結されている。
【００２７】
製氷室１４の上部、第一の仕切壁２４の下面には製氷ユニット４２が設けられている。
【００２８】
製氷室１４、上段冷凍室１５、下段冷凍室１６の背面には、庫内に冷気を導く冷凍ダクト４３が設けられている。冷凍ダクト４３の背面には、冷凍ファン４４を備えた蒸発器カバー４５が蒸発器４６の前方に設けられている。蒸発器４６の下部には、除霜ヒータ４７が配置されている。また、蒸発器カバー４５の上方に冷蔵室１３内への冷気を制御する風路ダンパ４８が配置されている。
【００２９】
野菜室１７内の背面には、庫内に冷気を導く野菜室ダクト４９が配置されている。
【００３０】
冷蔵庫本体１２には、天面に上部ヒンジ５０が配置され、第一の仕切壁２４の前面に下部ヒンジ５１が配置されている。上部ヒンジ５０と下部ヒンジ５１は、それぞれ上部ドア回転軸５２と下部ドア回転軸５３を備えている。
【００３１】
冷蔵室右ドア１９にはその上面と下面にそれぞれ上部軸受け５４と下部軸受け５５が設けられており、上部ドア回転軸５２と下部ドア回転軸５３に回転可能にそれぞれ係合されている。
【００３２】
そして、冷蔵室右ドア１９下面の下部軸受け５５と下部ドア回転軸５３との間には、図４に示す如くワンウェイクラッチ５７とトルクリミッタ５８の組み合わせからなるドア回転動作制御部５６が装着してある。
【００３３】
ドア回転動作制御部５６は以下に述べるように構成されており、ドア開方向の動作を規制せず閉方向の動作を規制するＡモード、及びドア開方向の動作および閉方向の動作ともに規制しないＢモード、さらに開方向の動作および閉方向の動作ともに規制するＣモードを有する。
【００３４】
すなわち、ワンウェイクラッチ５７は、図５に示すように外輪５７ａと内輪５７ｂとからなっており、外輪５７ａは冷蔵室右ドア１９とともに回転するように下部軸受け５５に装着固定されている。そして、この外輪５７ａは、下部ドア回転軸５３側となる内輪５７ｂに対しドア開方向となる図５中の右回転方向Ｘにはフリーに回転し、反対のドア閉方向となる左方向Ｙには固定されて内輪５７ｂとともに回転するようになっている。
【００３５】
また、トルクリミッタ５８は前記ワンウェイクラッチ５７と下部ドア回転軸５３との間に装設され、図６に示すように外輪５８ａと内輪５８ｂからなっていて、外輪５８ａはその外周の凸状リブ５８ｃが前記ワンウェイクラッチ５７の内輪５７ｂに設けた凹状溝５７
ｃに嵌合してワンウェイクラッチ５７の内輪５７ｂと一体に回転するようになっている。更に、トルクリミッタ５８の内輪５８ｂは前記下部ドア回転軸５３に嵌合してその係合面５８ｄによって下部ドア回転軸５３に係合し下部ドア回転軸５３と一体になっている。そして、前記トルクリミッタ５８の外輪５８ａは、下部ドア回転軸５３側と一体となった内輪５７ｂに対しドア開方向となる図６中の右回転方向Ｘ１にはフリーに回転し、反対のドア閉方向となる左方向Ｙ１には規制されて内輪５７ｂとともに回転し、以下に説明する操作部６１の操作によって規制解除されてフリーの状態になる。
【００３６】
すなわち、前記ドア回転動作制御部５６は、そのトルクリミッタ５８のＹ１方向、すなわち、Ａモードにおける扉開方向の規制を解除する操作部６１が冷蔵室右ドア１９の下面のハンドル６０の横部分に設けてある。
【００３７】
この操作部６１は冷蔵室右ドア１９の下面ハンドル横部分に手前方向に回転動作可能に軸支されており、これと連係して動作するロッド部材６２を備え、上記ロッド部材６２が操作部６１の回転動作によって前記ドア回転動作制御部５６のＹ（Ｙ１）方向の規制を解除するようになっている。
【００３８】
尚、ドアの軸支に関する構成は冷蔵室右ドア１９について説明したが、冷蔵室左ドア１８も同様の構成となっている。
【００３９】
以上のように構成された冷蔵庫について、以下その動作、作用を説明する。
【００４０】
冷蔵庫のユーザーが冷蔵室１３に食品を出し入れする場合には、冷蔵室左ドア１８、又は冷蔵室右ドア１９、もしくは両方のドアを開く動作を行う。この動作は冷蔵室右ドア１９のドア下部に設けたハンドル６０に手をかけて何ら特別な操作をすることなく普通の冷蔵庫と同様に行われる。
【００４１】
すなわち、通常、冷蔵室右ドア１９は、図８（ａ）に示すように開方向の動作を規制せず閉方向の動作を規制するＡモードとなっていて、特許文献１記載のような特別な操作をすることなく冷蔵室右ドア１９を開くことができる。
【００４２】
冷蔵室左ドア１８や冷蔵室右ドア１９は、食品の出し入れに十分な角度まで開かれ、開閉動作自体も従来の冷蔵庫と同様に行うことができる。尚、ドア開放における最大角度は、例えば１００°から１４０°程度に設定されていることが多い（図７の角度ａ）。
【００４３】
しかしながら、冷蔵庫が設置される床面の状態や、素材、冷蔵庫自体の据付角度は様々であり、必ずしも水平に設置されているとは限らない。さらには、ドア棚２８への食品収納量はユーザー宅によって様々である。したがって、冷蔵室右ドア１９を開けたとしても、手を離すと自閉してしまう場合もある。特にドア開放側に壁などの障害物が存在する場合などはドア開角度が９０°未満の場合もあり、ドアが自閉してしまう現象が避けられない場合がある。
【００４４】
手を離すと冷蔵室ドアが自閉するような設置環境であれば、ユーザーは多くの場合、片手で冷蔵室ドアを押さえながらもう一方の手で食品を冷蔵室２内に収納することになる（例えば図７の角度ｂ、ｃ）。
【００４５】
冷蔵室２において、冷蔵室棚２７の最上段や２段目などの比較的上部に食品を載置する場合や、ユーザーの身長が低い場合などは食品収納に困難を伴う場合もある。さらに鍋等の比較的重い物の場合は両手を使って収納する必要があり、冷蔵室右ドア１９を片手で固定すること自体が困難な場合もある。また、さらに幅広の収納物を収納する場合などは、
冷蔵室左ドア１８、冷蔵室右ドア１９の両方を同時に開放しておく必要があり、片手で固定することは困難を伴う場合がある。
【００４６】
しかしながら、この実施の形態の冷蔵庫では、上記のような状態での食品収納に関する不便を解消することができる。
【００４７】
すなわち、開放された冷蔵室右ドア１９の閉方向への回転は同ドアと一体になったワンウェイクラッチ５７がＹ方向に回転しようとすることになるのであるが、このＹ方向の回転は内輪５７ｂとともに回転することになるトルクリミッタ５８のＹ１となって規制されているためその位置で停止保持される。よって、ユーザーは冷蔵室右ドア１９を手で固定する必要がなくなり、食品等の出し入れが容易に行える。
【００４８】
また、トルクリミッタ５８は冷蔵室右ドア１９を開放した任意の位置でＹ１方向の回転を規制するので、冷蔵室右ドア１９の位置を微調整したい場合でも特別に何らかの操作を行うことなく、冷蔵室右ドア１９を更に回転方向へ動かすだけでドアの開放停止位置を容易に変更できる。よって食品出し入れの実使用に対する要求を満たすことができる。すなわち、冷蔵室２内への食品の出し入れの際には、冷蔵室右ドア１９をドア閉方向（図７のｄ方向）に微調整する必要はなく、ほとんどの場合ドア開方向（図７のｅ方向）への移動が要求されるので、本実施の形態の動作で十分要求を満たすことができるのである。
【００４９】
また、冷蔵室右ドア１９を閉じるときは、図８（ｂ）に示すように操作部６１を奥側に回転させる。これにより、ロッド部材６２が動作して前記トルクリミッタ５８のＹ１方向の規制を解除し、同Ｙ１方向の回転をフリーとする。したがって、ユーザーは一時的に操作部６１を操作するだけでよく、以降は操作部６１に手をかけたまま、或いは操作部６１から手を離して冷蔵室右ドア１９の適所を閉成方向に軽く押して回転させれば冷蔵室右ドア１９を閉じることができるとともに、ドア閉成時にトルクリミッタ５８に回転規制力がかかり続けてドア回転動作制御部５６が損傷することを防止することもできる。
【００５０】
また、上記操作部６１はハンドル６０の近傍に設けてあるから、ハンドル６０に手をかけるのと同様の手軽さで操作することができるとともに、ドア開閉時に手をかけたハンドルから大きく手を移動させることなく操作部６１の操作が可能となるので、操作部６１の操作性が向上する。
【００５１】
更に、前記操作部６１とドア回転動作制御部５６とはロッド部材６２等のような機械的手段で連係させているので、ドア回転動作制御部５６と操作部６１は離して設けることができる。よって操作部６１は冷蔵室右ドア１９の最も操作しやすい位置、例えばドア開放端側の下面等に設置することができ、使い勝手が向上する。
【００５２】
また、近年、家庭用の冷蔵庫においては、外形寸法を変えずに大容量化の方向で進化しており、その断熱壁は薄型化される傾向にある。ドアにおいても同様で、特に比較的温度の高い冷蔵室のドアは、冷凍室ドア等に比べ薄型設計されることが多い。また、外観の意匠性を向上させる目的でラウンドしたドア形状にすることも多く、回転式の冷蔵室ドアでは、ドア回転軸付近が最も壁厚が薄くなっている。
【００５３】
このような冷蔵庫であっても本実施の形態のドア回転動作制御部５６はドアの軸支部自体に組み込む構成としてあり、かつ、操作部６１とドア回転動作制御部５６とを連係する部材はロッド部材６２としてあるから、このドア回転動作制御部５６やロッド部材６２が冷蔵室右ドア１９からはみ出すようなことがなく、外観を損なうこともない。
【００５４】
尚、上記では主に冷蔵室右ドア１９について動作、作用を説明したが、冷蔵室左ドア１
８についても同様の動作、作用を有する。したがって、冷蔵室左右ドアの回転規制を個別に行うことも可能となっている。例えば、ドアが大きく食品収納量の多い冷蔵室右ドア１９のドア回転動作制御部５６をＡまたはＣモードにし、比較的小さく、食品収納量の少ない冷蔵室左ドア１８のドア回転動作制御部５６をＢモードにする場合が考えられる。また逆に、冷蔵室左ドア１８をＡまたはＣモードにし、冷蔵室右ドア１９をＢモードにする場合も考えられ、特に左利きのユーザーが食品を収納する場合の利便性を向上できる。さらに、冷蔵室左ドア１８と冷蔵室右ドア１９を両方ＡまたはＣの規制モードにすると、冷蔵室２の開口部を大きく開いたまま固定することができ、幅広の収納物の出し入れ、及び両手での食品収納の際に非常に利便性が高い。いずれの場合も操作部６１の操作によってドア回転の規制を解除するように構成することで、以降の回転が可能となる。
【００５５】
以上のように、本実施の形態においては、冷蔵庫本体１２と、前記冷蔵庫本体１２の前面開口部を閉塞する回転式のドアと、前記ドアを開閉するハンドル６０と、前記ドアを開閉する際の一方の回転動作を規制する規制モードを有するドア回転動作制御部５６と、前記ドアに設けた操作部６１とを備え、前記ドア回転動作制御部５６は、前記操作部６１の動作に連係して、前記規制モードを解除する構成としてあるから、ドア回転動作制御部５６による回転規制をドア閉方向に設定することで、ドアはこれまで通り特別な操作をすることなく開放することができるとともに、開放したドアがドア自体の自重等によって閉方向に動作しようとしてもそのドアの回転は規制されて開放位置に停止させることができる。しかも上記回転規制は操作部６１の操作によって解除できるので、ドアの閉方向の回転も軽い力で行うことができるうえに、上記回転規制解除は一時的に操作部６１を操作するだけでよいので、ドアを回転させる間中操作し続けなければならないというような煩雑さもなく、ドア開・閉を簡便に行うことができる。
【００５６】
また前記操作部６１と前記ドア回転動作制御部５６とは機械的手段で連係してあるので、ドア回転動作制御部５６と操作部６１とを離して設けることができ、操作部６１をドアの最も操作しやすい位置に設置することができて、使い勝手を向上させることができる。
【００５７】
また、操作部６１はハンドル６０の近傍に設けてあるから、ドア開閉時に手をかけたハンドル６０から大きく手を移動させることなく操作部６１の操作が可能となるので、操作部６１の操作性が向上する。
【００５８】
また、ドア回転動作制御部５６はドア軸支部分に組み込む形態とし、このドア回転動作制御部５６と操作部６１とはロッド部材６２によって連係させているので、薄型のドアであっても外観を損なうことなく実装することができる。
【００５９】
尚、本実施の形態では、操作部６１の位置をハンドル６０の左隣としたが、右隣あるいはハンドル内上部に配置しても良い。
【００６０】
なお、本実施の形態では、冷蔵室右ドア１９が閉の状態では、ドア開方向の動作を規制せず閉方向の動作を規制するＡモードを通常状態として説明したが、冷蔵室右ドア１９が閉の状態では、ドア開方向の動作および閉方向の動作ともに規制しないＢモードとし、操作部６１の操作によりＡモードに移行するようにしてもよい。
【００６１】
（実施の形態２）
この実施の形態２は図示しないものの前記実施の形態１に示す操作部６１とドア回転動作制御部５６との連係を電気的手段で行うようにしたものである。
【００６２】
この実施の形態２によれば、前記実施の形態１と同様、操作部６１をドアの最も操作しやすい位置に設置して使い勝手の良いものとすることができるとともに、電気的手段によ
る連係とすることによって、例えばドア前面にタッチスイッチを設ける等して操作部６１を構成することができ、操作部６１の操作性も向上して一段と使い勝手の良いものとなる。
【００６３】
またこの実施の形態２では、ドア回転動作制御部５６自体を電気的手段で構成して操作部６１と連携させることも考えられる。
【００６４】
例えば、永久磁石或いは磁性体を内周面に配置した外輪と電磁石を外周面に配置した内輪とでドア回転動作制御部５６を形成し、このドア回転動作制御部５６の電磁石を操作部６１となるスイッチ部に配線接続して連係させるのである。これにより、操作部６１の操作によって電磁石をオン、オフして当該電磁石の吸着力により外輪の回転を規制或いは規制解除することができ、この場合、操作部６１とドア回転動作制御部５６とを連係するものは配線だけとなるので操作部６１の設置自由度が更に良くなる利点がある。
【００６５】
（実施の形態３）
図１０は実施の形態３の冷蔵庫を示す。この実施の形態３の冷蔵庫は、前記実施の形態１、２で説明した操作部６１を冷蔵室右ドア１９の開放端側の側面部に設けたものである。
【００６６】
この実施の形態３も、ドア側面部は手をかけやすいところであるから、操作部６１の操作が容易に行え、その操作性が向上する。
【００６７】
（実施の形態４）
この実施の形態４は前記実施の形態２で例示した電動タイプのドア回転動作制御部を用いた場合の変形例である。すなわち、この実施の形態４も図示はしないものの、そのドア回転動作制御部は、通常、電磁石が非通電でドア開・閉両方向にフリーに回転可能となっていて、操作部を操作して電磁石に通電した時その位置で回転が規制されるようになっている。
【００６８】
したがってこの実施の形態４では、通常、冷蔵室右ドア１９は開・閉両方向とも規制されることなく自由に回転可能に軸支された状態であるから、冷蔵室右ドア１９は特別な操作なしで開くことができる。
【００６９】
冷蔵室右ドア１９を開き終わった状態で操作部６１を操作すると、電磁石に通電されてその吸着力によりドア回転動作制御部５６は冷蔵室右ドア１９の閉回転および開方向の両方を規制し、冷蔵室右ドア１９を開放位置で停止保持させる。よって、冷蔵室右ドア１９が自重等で閉方向或いは開方向に回転してふらつくようなことがなくなり、食品等の出し入れが容易に行えるとともに、冷蔵室右ドア１９が更に開いて例えば隣接する壁等に当たって損傷等するのを防止することができる。
【００７０】
冷蔵室右ドア１９を閉じるときには操作部６１を基の状態に戻す。これにより、電磁石が非通電状態となってドア回転動作制御部５６は回転規制を解除され、回転がフリーとなる。よって、ユーザーは冷蔵室右ドア１９を手で軽く押すなどすることによって閉じることができる。
【００７１】
なお、上記各実施の形態１〜４は本発明を実施する一形態として示したもので、そのいずれも本発明の目的を達成する範囲で適宜変更可能である。
【００７２】
例えば、上記各実施の形態ではドア下部の軸支部にドア回転動作制御部５６を設けたものを例示して説明したが、これは上部に設けても良いものである。
【００７３】
また、冷蔵室ドアは２枚のドアを有するフレンチドア方式として説明したが、１枚のドアであっても同様の効果を有するものである。
【産業上の利用可能性】
【００７４】
以上のように、本発明にかかる冷蔵庫は、ドア開閉の簡便さを維持しつつ、ドアを開放位置に停止させて、食品収納、取出し時の利便性を向上させることができるので、家庭用冷蔵庫のみならず、業務用冷蔵庫、自動販売機、食品倉庫等の収納物を出し入れする機器に対して適用できる。
【符号の説明】
【００７５】
１１  冷蔵庫
１２  冷蔵庫本体
１８  冷蔵室左ドア
１９  冷蔵室右ドア
５１  下部ヒンジ
５３  下部ドア回転軸
５６  ドア回転動作制御部
５７  ワンウェイクラッチ
５８  トルクリミッタ
６０  ハンドル
６１  操作部
６２  ロッド部材
【図１】
2014142146.tif 000003
【図２】
2014142146.tif 000004
【図３】
2014142146.tif 000005
【図４】
2014142146.tif 000006
【図５】
2014142146.tif 000007
【図６】
2014142146.tif 000008
【図７】
2014142146.tif 000009
【図８】
2014142146.tif 000010
【図９】
2014142146.tif 000011
【図１０】
2014142146.tif 000012
【図１２】
2014142146.tif 000013
【図１１】
2014142146.tif 000014